(57)【特許請求の範囲】
【請求項１】
稲の種籾（Ｓ）を，落水した田圃に直播きすべく，農業用動力移動機（２）の後端部に取付ける種籾直播機（１０）であって、田圃の地表面（Ｅ）を均す均平板（２１）を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込みシート（２４）を設け、前記擦込みシート（２４）の前端部を播種誘導枠（２３）に左右に架設した第一支持軸（２５）で支持し、その中間部を同じく播種誘導枠（２３）に左右に架設した第二支持軸（２６）に長さ調節自在の鎖片（２７）を介して支持したことを特徴とする種籾直播機。
【請求項２】
稲の種籾（Ｓ）を，落水した田圃に直播きすべく，農業用動力移動機（２）の後端部に取付ける種籾直播機（１０）であって、田圃の地表面（Ｅ）を均す均平板（２１）を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込板（２８）を設け、
前記擦込板の前端部を，播種誘導枠（２３）に左右に架設した支持棒（３５）で回動自在に支持し、
前記擦込板の中間部から縦棒（３６）を揺動自在に立設し、
前記縦棒の上部を，前記播種誘導枠に左右に架設した支持プレート（３７）の挿通孔（３７ａ）に挿通し、且つ上端部に位置決め用ナット（４０）を取付けてなる種籾直播機。
【請求項３】
稲の種籾（Ｓ）を，落水した田圃に直播きすべく，農業用動力移動機（２）の後端部に取付ける種籾直播機（１０）であって、田圃の地表面（Ｅ）を均す均平板（２１）を左右方向に設け、前記均平板の後端部に複数の切込み凹部（２２）を形成し、前記切込み凹部を囲むようにして播種誘導枠（２３）を立設し、前記均平板の上方に種籾ホッパー（１１）を設け、前記播種誘導枠に，前記種籾ホッパーから前記播種誘導枠を通して播かれた種籾を，上から擦って地中に埋込む擦込板（２８）を設け、
前記擦込板の前端部を，播種誘導枠（２３）に左右に架設した支持棒（３５）で回動自在に支持し、
前記擦込板の中間部から縦棒（３６）を揺動自在に立設し、
前記縦棒の上部を，前記播種誘導枠に左右に架設した支持プレート（３７）の挿通孔（３７ａ）に挿通し、且つ上端部に位置決め用ナット（４０）を取付け、しかも前記縦棒の，前記擦込板と支持プレートとの間に，前記擦込板を下方に押圧するバネ材（３８）を嵌装してなる種籾直播機。
【発明の詳細な説明】
【技術分野】
【０００１】
本発明は、稲の種籾を、直接、落水した田圃に播くことのできる種籾直播機に関するものである。
【背景技術】
【０００２】
稲は、一般に、田圃とは別の場所に種籾を播いて苗に育て、その苗を田圃に植え付けて発育させている。
【０００３】
この場合、種籾を播いて苗に育てる作業と、その苗を田圃に植え付ける作業の両方を必要とする。これを、種籾を、落水した状態の田圃に直接播いて、そのまま稲に育てることができれば、作業を大幅に削減することができるので便利である。
【発明の開示】
【発明が解決しようとする課題】
【０００４】
しかし、代掻きした田圃は、落水しても完全に水を排除することはできず、至る所に水たまりができる。従って、その水たまりに種籾を播くと、種籾は浮き上がり、水面上で移動する。また、代掻きした田圃の地表面は硬軟があるため、その上に種籾を播いただけでは地表面に密着する度合いが異なる。種籾を田圃の地表面に均等かつ適度に密着させないと、浮き苗、根上がり苗、あるいは不発芽の原因となり、稲の良好な生育の妨げとなる。
【０００５】
本発明はこうした問題に鑑み創案されたもので、落水した田圃に直接播いた種籾が、水を張った後においても、浮き上がりや根上がりを起こすことのない種籾直播機を提供することを課題とする。
【課題を解決するための手段】
【０００６】
図１乃至図７を参照して説明する。請求項１に記載の発明に係る種籾直播機は、稲の種籾Ｓを、落水した田圃に直播きすべく、農業用動力移動機２の後端部に取付けるものであって、田圃の地表面Ｅを均す均平板２１を左右方向に設け、前記均平板２１の後端部に複数の切込み凹部２２を形成し、前記切込み凹部２２を囲むようにして播種誘導枠２３を立設し、前記均平板２１の上方に種籾ホッパー１１を設け、前記播種誘導枠２３に、前記種籾ホッパー１１から前記播種誘導枠２３を通して播かれた種籾Ｓを、上から擦って地中に埋込む擦込みシート２４を設け、前記擦込みシート２４の前端部を播種誘導枠２３に左右に架設した第一支持軸２５で支持し、その中間部を同じく播種誘導枠２３に左右に架設した第二支持軸２６に、長さ調節自在の鎖片２７を介して支持してなるものである。
【０００７】
請求項２に記載の発明に係る種籾直播機は、稲の種籾Ｓを、落水した田圃に直播きすべく、農業用動力移動機２の後端部に取付ける種籾直播機１０であって、田圃の地表面Ｅを均す均平板２１を左右方向に設け、前記均平板の後端部に複数の切込み凹部２２を形成し、前記切込み凹部を囲むようにして播種誘導枠２３を立設し、前記均平板の上方に種籾ホッパー１１を設け、前記播種誘導枠に、前記種籾ホッパーから前記播種誘導枠を通して播かれた種籾を、上から擦って地中に埋込む擦込板２８を設け、前記擦込板の前端部を、播種誘導枠２３に左右に架設した支持棒３５で回動自在に支持し、前記擦込板の中間部から縦棒３６を揺動自在に立設し、前記縦棒の上部を、前記播種誘導枠に左右に架設した支持プレート３７の挿通孔３７ａに挿通し、且つ上端部に位置決め用ナット４０を取付けてなるものである。
【０００８】
請求項３に記載の発明に係る種籾直播機は、稲の種籾Ｓを、落水した田圃に直播きすべく、農業用動力移動機２の後端部に取付ける種籾直播機１０であって、田圃の地表面Ｅを均す均平板２１を左右方向に設け、前記均平板の後端部に複数の切込み凹部２２を形成し、前記切込み凹部を囲むようにして播種誘導枠２３を立設し、前記均平板の上方に種籾ホッパー１１を設け、前記播種誘導枠に、前記種籾ホッパーから前記播種誘導枠を通して播かれた種籾を、上から擦って地中に埋込む擦込板２８を設け、前記擦込板の前端部を、播種誘導枠２３に左右に架設した支持棒３５で回動自在に支持し、前記擦込板の中間部から縦棒３６を揺動自在に立設し、前記縦棒の上部を、前記播種誘導枠に左右に架設した支持プレート３７の挿通孔３７ａに挿通し、且つ上端部に位置決め用ナット４０を取付け、しかも前記縦棒の、前記擦込板と支持プレートとの間に、前記擦込板を下方に押圧するバネ材３８を嵌装してなるものである。
【発明の効果】
【０００９】
請求項１に記載の種籾直播機１０は、落水した田圃に播いた種籾Ｓが、水を張った後、浮き上がりや根上がりを生じさせることがない。すなわち、田圃の地表面Ｅを均すべく左右方向に設けた均平板２１の後端部に、複数の切込み凹部２２を形成し、その切込み凹部２２を囲むようにして播種誘導枠２３を立設し、さらに、その播種誘導枠２３に、当該播種誘導枠２３を通して播かれた種籾Ｓを、上から擦って地中に埋込む擦込みシート２４を設けたので、落水した田圃に播いた種籾Ｓが、水を張った後においても、浮き上りや根上がりを起こさない。
【００１０】
すなわち、均平板２１が、種籾Ｓを播くに先立って、田圃の地表面Ｅを平ら面とすると同時に水を排除する。そして、その上に、種籾Ｓを、種籾ホッパー１１等から播種誘導枠２３を通して地表面Ｅに播いた後、擦込みシート２４によって直ちに上から擦り付けるようにして地中に埋め込む。これにより、全ての種籾Ｓを、地中に良好な状態で直播きすることができるので、種籾Ｓの浮き上がりや根上がりを防止できる。また、稲作に要する作業を大幅に削減できる。
【００１１】
また、この種籾直播機１０は、種籾ホッパー１１を備えているので、種籾Ｓを自動的に直播することができ、作業の軽減化を図ることができる。しかも、擦込みシート２４は、その前端部を播種誘導枠２３に左右に架設した第一支持軸２５で支持し、その中間部を同じく播種誘導枠２３に左右に架設した第二支持軸２６に、長さ調節自在の鎖片２７を介して支持している。こうして、擦込みシート２４の取付け姿勢を調整自在とし、種籾Ｓに対する押圧力を調整することができる。
【００１２】
請求項２に記載の種籾直播機１０は、擦込板２８の前端部を播種誘導枠２３に左右に架設した支持棒３５で回動自在に支持し、当該擦込板２８の中間部から縦棒３６を揺動自在に立設し、前記縦棒３６の上部を、前記播種誘導枠２３に左右に架設した支持プレート３７の挿通孔３７ａに挿通したので、擦込板２８の自重によって地表面Ｅを均し、種籾Ｓを地中に埋め込むことができる。
【００１３】
請求項３に記載の種籾直播機１０は、擦込板２８の前端部を播種誘導枠２３に左右に架設した支持棒３５で回動自在に支持し、当該擦込板２８の中間部から縦棒３６を揺動自在に立設し、前記縦棒３６の上部を、前記播種誘導枠２３に左右に架設した支持プレート３７の挿通孔３７ａに挿通し、且つバネ材３８の弾力によって、地表面Ｅをより円滑に均すことができると共に、種籾Ｓを地中に確実に埋め込むことができる。
【発明を実施するための最良の形態】
【００１４】
本発明に係る種籾直播機１０の第一実施形態を、図１乃至図３に示す。この種籾直播機１０は、稲の種籾Ｓを、落水した田圃に直播きするために、トラクターなどの農業用動力移動機２の後端部に取付けるものであり、均平板装置２０と種籾ホッパー１１を備える。
【００１５】
均平板装置２０は、田圃の地表面Ｅを均すべく左右方向に設けられた均平板２１の後端部に複数（本実施形態では六つ）の切込み凹部２２を形成し、その各切込み凹部２２を囲むようにして平面コ字状の播種誘導枠２３を立設し、さらに、この播種誘導枠２３に、当該播種誘導枠２３を通して播かれた種籾Ｓを、上から擦って地中に埋込む擦込みシート２４を設けて構成される。なお、均平板２１は、中央部２１ａと本体部２１ｂとで構成し、少なくとも、中央部２１ａの一箇所と本体部２１ｂの二箇所に設けた連結部Ｃで、農業用動力移動機２（フロート３を含む）に連結する。
【００１６】
また、種籾ホッパー１１は、均平板２１の直上に設けられ、所定数の種籾Ｓを連続的に播種誘導枠２３内に供給する。この種籾ホッパー１１は、種籾Ｓをこぼすことなく播種誘導枠２３内に供給するための送りホース１２を備える。
【００１７】
この種籾直播機１０の作用について説明する。落水した田圃に農業用動力移動機（トラクター）２を走行させることによって、均平板２１で地表面Ｅを均一に均すと同時に水を排除しながら、種籾Ｓを、種籾ホッパー１１から播種誘導枠２３内を通して地表面Ｅに落下させる（通常、１ｍ２当たり１００粒程度）。このとき、地表面Ｅは、均平板２１によって平らに均され、かつ、水が排除されているので、落下した種籾Ｓは凸凹のない地表面Ｅ上に播かれる。また、種籾Ｓは、播種誘導枠２３によってガイドされるため、周囲に散らばることなく、所定の箇所に落下する。
【００１８】
この状態から、擦込みシート２４で種籾Ｓをその上から擦るようにして押圧して地中に埋め込む。このとき、種籾Ｓは均平板２１によって平らに均された地表面Ｅに播かれ、かつ、擦込みシート２４によって均等な力で押されるので、地中に均一な深さで埋め込まれる。これにより、種籾Ｓの浮き上がりや、根上がりが確実に防止され、当該種籾Ｓは良好に発育することができる。
【００１９】
なお、本実施形態における擦込みシート２４は、その前端部を播種誘導枠２３に左右に架設した第一支持軸２５で支持し、その中間部を同じく播種誘導枠２３に左右に架設した第二支持軸２６に、長さ調節自在の鎖片２７を介して支持している。こうして、擦込みシート２４の取付け姿勢を調整自在とし、種籾Ｓに対する押圧力を調整できるようにしている。
【００２０】
本発明に係る種籾直播機１０の別の実施形態を、図４に示す。これは、既存の田植機を利用したもので、その後端部に設けられているフロート３の下側に、種籾直播機１０の均平板２１を、ボルトやナットなどの締結部材によって着脱自在に取付けたものである。また、種籾ホッパー１１は、田植機の側条施肥機を利用して構成したものであり、そこから均平板２１に取付けた播種誘導枠２３へ種籾Ｓを落下させるようにしている。
【００２１】
この種籾直播機１０においても、その均平板装置２０のはたらきによって、播かれた種籾Ｓが、浮き上がりや根上がりを起こさない。また、この種籾直播機１０を、フロート３の下側に取付けるので、既存の田植機などを利用して容易に製造することができる。
【００２２】
なお、均平板装置２０は、上記した構成に代えて、次のような構成とすることができる。すなわち、図５乃至図７に示すように、斜めに配置した擦込板２８の前上端部を、播種誘導枠２３に左右に水平に架設した支持棒３５で回動自在に支持し、その擦込板２８のほぼ中間部から縦棒３６を揺動自在に立設する。そして、縦棒３６の上部を、播種誘導枠２３に左右に架設した支持プレート３７の挿通孔３７ａに挿通する。また、縦棒３６の上端部に、位置決めナット４０を取付け、擦込板２８の下限位置を設定することができる。
【００２３】
こうした構成において、擦込板２８を軽量な材料で肉薄に形成した場合には、その自重のみでは地表面Ｅを強く押圧することができないので、縦棒３６の、擦込板２８と支持プレート３７との間に、擦込板２８を下方に押圧するバネ材３８を嵌装すると良い。その逆に、擦込板２８が充分な重量を有している場合には、バネ材３８を設ける必要はない。
【００２４】
なお、本実施形態においては、種籾誘導枠２３の前壁に分散板３９を設けている。この分散板３９は、種籾誘導枠２３の左右幅を広く（１０ｃｍ程度）設定して、種籾誘導枠２３の前壁と支持棒３５との間に、種籾ホッパー１１から投入された種籾Ｓを四方へ分散して地表面Ｅに散在させた状態で播くためのものである。従って、種籾誘導枠の左右幅を狭く（３ｃｍ程度）に設定して、種籾Ｓを、直線状のいわゆるすじ播きする場合には、この分散板３９を設ける必要はない。
【図面の簡単な説明】
【００２５】
【図１】本発明に係る種籾直播機の実施形態を示す側面図である。
【図２】図１に示す種籾直播機の要部拡大側面断面図である。
【図３】図１に示す種籾直播機の要部拡大平面図である。
【図４】本発明に係る種籾直播機の別な実施形態を示す側面図である。
【図５】本発明に係る均平板装置の別な実施形態を示す要部側面断面図である。
【図６】図５に示す均平板装置の平面図である。
【図７】図５に示す均平板装置の背面図である。
【符号の説明】
【００２６】
２        農業用動力移動機
３        フロート
１０      種籾直播機
１１      種籾ホッパー
１２      送りホース
２０      均平板装置
２１      均平板
２１ａ    中央部
２１ｂ    本体部
２２      切込み凹部
２３      播種誘導枠
２４      擦込みシート
２５      第一支持軸
２６      第二支持軸
２７      鎖片
２８      擦込板
３４      ナット
３５      支持棒
３６      縦棒
３７      支持プレート
３７ａ    挿通孔
３８      バネ材
３９      分散板
４０      ナット
Ｃ        連結部
Ｅ        地表面
Ｐ        解放部
Ｓ        種籾
【図１】
0004568548.tif 000002
【図２】
0004568548.tif 000003
【図３】
0004568548.tif 000004
【図４】
0004568548.tif 000005
【図５】
0004568548.tif 000006
【図６】
0004568548.tif 000007
【図７】
0004568548.tif 000008